【事件の表示】
　特願２０１５−１１６１７５号「遊技機」拒絶査定不服審判事件〔平成２９年１月５日出願公開、特開２０１７−３３９号〕について、次のとおり審決する。
【結　論】
　本件審判の請求は、成り立たない。
【理　由】
第１　手続の経緯の概要
　本願は、平成２７年６月８日の出願であって、平成３０年８月７日付けで拒絶の理由が通知され、同年１０月１１日に意見書及び手続補正書が提出されたところ、平成３１年１月１５日付けで拒絶査定（以下「原査定」という。）がなされ、それに対して、同年３月２６日に拒絶査定不服審判の請求がなされると同時に手続補正がなされたものである。
　
第２　平成３１年３月２６日にされた手続補正についての補正の却下の決定
［補正の却下の決定の結論］
　平成３１年３月２６日にされた手続補正（以下「本件補正」という。）を却下する。
　
［理由］
　１　補正の内容
　本件補正により、平成３０年１０月１１日付け手続補正書の特許請求の範囲の請求項１における
「【請求項１】
　可変表示を実行し、遊技者にとって有利な有利状態に制御可能な遊技機であって、
　未だ開始されていない可変表示に対応する保留表示を表示する保留表示手段と、
　可変表示が実行されているときに当該可変表示に対応する対応表示を表示する対応表示手段と、
　保留表示及び対応表示の表示態様が異なる複数の演出モードのいずれかに制御可能な演出モード制御手段と、を備え、
　保留表示の表示態様が前記有利状態に制御される期待度が所定の期待度であることを示唆する第１特殊態様とされている場合、前記演出モードの切り替えがあった後に、当該保留表示に対応する対応表示の表示態様が、前記第１特殊態様で示唆される前記所定の期待度を維持するように、当該第１特殊態様と少なくとも一部の表示態様が共通する第２特殊態様とされ、
　保留表示と対応表示との少なくとも一方は、前記複数の演出モードで共通の表示態様に変化可能である、
　ことを特徴とする遊技機。」は、
　審判請求時に提出された手続補正書（平成３１年３月２６日付け）の特許請求の範囲の請求項１における
「【請求項１】
　可変表示を実行し、遊技者にとって有利な有利状態に制御可能な遊技機であって、
　未だ開始されていない可変表示に対応する保留表示を表示する保留表示手段と、
　可変表示が実行されているときに当該可変表示に対応する対応表示を表示する対応表示手段と、
　保留表示及び対応表示の表示態様が異なる複数の演出モードのいずれかに制御可能な演出モード制御手段と、を備え、
　保留表示の表示態様が前記有利状態に制御される期待度が所定の期待度であることを示唆する第１特殊態様とされている場合、前記演出モードの切り替えがあった後に、当該保留表示に対応する対応表示の表示態様が、前記第１特殊態様で示唆される前記所定の期待度を維持するように、当該第１特殊態様と少なくとも一部の表示態様が共通する第２特殊態様とされ、
　保留表示と対応表示との少なくとも一方
の表示態様
　　
当該表示態様が変化すること及び変化後の表示態様を示唆する示唆演出が実行されてから変化可能であり、
　　前記複数の演出モードで共通
の態
　ことを特徴とする遊技機。」に補正された（下線は、補正箇所を明示するために審決にて付した。）。
　
　２　補正の適否
　本件補正は、補正前の請求項１に記載した発明を特定するために必要な事項である「表示態様」に関して、「保留表示と対応表示との少なくとも一方は、前記複数の演出モードで共通の表示態様に変化可能である」とあったものを「保留表示と対応表示との少なくとも一方
の表示態様
当該表示態様が変化すること及び変化後の表示態様を示唆する示唆演出が実行されてから変化可能であり、
の態
　
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
　また、本件補正は、願書に最初に添付した明細書の段落【０３８９】、【０３９７】等の記載からみて、新規事項を追加するものではないから、特許法第１７条の２第３項に規定する要件を満たす。
　
　３　独立特許要件
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。
　
　（１）本件補正発明
　本件補正発明は、次のとおりのものであると認める（記号Ａ〜Ｇは、分説するため当審判合議体にて付した。）。
「Ａ　可変表示を実行し、遊技者にとって有利な有利状態に制御可能な遊技機であって、
　Ｂ　未だ開始されていない可変表示に対応する保留表示を表示する保留表示手段と、
　Ｃ　可変表示が実行されているときに当該可変表示に対応する対応表示を表示する対応表示手段と、
　Ｄ　保留表示及び対応表示の表示態様が異なる複数の演出モードのいずれかに制御可能な演出モード制御手段と、を備え、
　Ｅ　保留表示の表示態様が前記有利状態に制御される期待度が所定の期待度であることを示唆する第１特殊態様とされている場合、前記演出モードの切り替えがあった後に、当該保留表示に対応する対応表示の表示態様が、前記第１特殊態様で示唆される前記所定の期待度を維持するように、当該第１特殊態様と少なくとも一部の表示態様が共通する第２特殊態様とされ、
　Ｆ　保留表示と対応表示との少なくとも一方の表示態様は、
　　Ｆ１　当該表示態様が変化すること及び変化後の表示態様を示唆する示唆演出が実行されてから変化可能であり、
　　Ｆ２　前記複数の演出モードで共通の態様に変化可能である、
　Ｇ　ことを特徴とする遊技機。」
　
　（２）引用文献１
　原査定の拒絶の理由に引用された、本願の出願前に頒布された刊行物である特開２０１５−２７３５９号公報（以下「引用文献１」という。）には、図面と共に以下の事項が記載されている（下線は当審判合議体にて付した。以下同じ。）。
　
　　　ア　記載事項
　　　（ア）「【技術分野】
【０００１】
　本発明は、
弾球遊技機
・・・
【０００５】
　
本発明の目的は、多彩な態様で保留アイコンを表示することで、遊技の興趣を向上させることにある。
　
　　　（イ）「【０００９】
　以下、図面を用いて、本発明の一実施の形態に係る遊技台（例えば、パチンコ機等の弾球遊技機やスロットマシン等の回胴遊技機）について説明する。
・・・
【００２４】
　装飾図柄表示装置２０８は、装飾図柄ならびに演出に用いる様々な画像（動画像または静止画像）を表示するための表示装置であり、本実施の形態では液晶表示装置（Ｌｉｑｕｉｄ  Ｃｒｙｓｔａｌ  Ｄｉｓｐｌａｙ）によって構成する。
装飾図柄表示装置２０８は、
演出表示領域２０８ｄ
に分割し
　
　　　（ウ）「【００２８】
　また、演出装置２０６の周囲には、所定の球進入口、例えば、一般入賞口２２６と、普図始動口２２８、２２９と、
特図１始動口２３０と、特図２始動口２３２と
を配設している。
・・・
【００３１】
　特図１始動口２３０は、本実施の形態では遊技盤２００の中央に１つだけ配設している。
特図１始動口２３０への入球を所定の球検出センサが検出した場合、
特図１表示装置２１２による特図変動遊技
を開始する。
【００３２】
　特図２始動口２３２は、電動チューリップ（電チュー）と呼ばれ、本実施の形態では右側経路上に１つだけ配設している。特図２始動口２３２は、左右に開閉自在な一対の羽根部材２３２ａを備え、羽根部材２３２ａの閉鎖中は球の入球が不可能であり、普図変動遊技に当選し、普図表示装置２１０が当り図柄を停止表示した場合に羽根部材２３２ａが所定の時間間隔、所定の回数で開閉する。
特図２始動口２３２への入球を所定の球検出センサが検出した場合、
特図２表示装置２１４による特図変動遊技
を開始する。
【００３３】
　可変入賞口２３４、２３５は、大入賞口またはアタッカと呼ばれ、本実施の形態では可変入賞口２３４が遊技盤２００の中央部下方に１つだけ配設され、可変入賞口２３５が右側経路上に１つだけ配設されている。可変入賞口２３４、２３５は、開閉自在な扉部材をそれぞれ備え、扉部材の閉鎖中は球の入球が不可能である。
特図変動遊技に当選して特図表示装置が大当り図柄を停止表示した場合には、
可変入賞口２３４、２３５のうち一方の扉部材が所定の時間間隔
、所定の回数
で開閉する。
　
　　　（エ）「【０２１２】
　次に、本実施の形態によるパチンコ機１００での特図変動遊技の演出等について図１６乃至図２２を用いて説明する。図１６は、
第１副制御部４００でのメイン処理の演出制御処理
内で実行される演出ステージ制御処理
・・・
【０２１６】
　ステップＳ１２０９では、
第一演出ステージ変更処理を行う。第１副制御部４００は、演出ステージを「陸ステージ」、「海ステージ」または「空ステージ」のいずれかに切り替える。例えば、第１副制御部４００は、チャンスボタン１３６が押下される毎に、演出ステージを「陸ステージ」→「海ステージ」→「空ステージ」→「陸ステージ」・・・の順に切り替えるようになっている。
　
　　　（オ）「【０２２２】
　次に、本実施の形態によるパチンコ機１００において実行される演出の具体例について説明する。
【０２２３】
（実施例１）
　図１７は、本実施の形態の実施例１における演出表示の例を時系列で示している。図１７および後述する各図では、装飾図柄表示装置２０８の図柄表示領域２０８ａ〜２０８ｃにおける装飾図柄の変動を下向きの白抜き太矢印で表している。図１７および後述する各図では、装飾図柄表示装置２０８と、普図保留ランプ２１６、普図表示装置２１０、特図１保留ランプ２１８、特図１表示装置２１２、特図２保留ランプ２２０および特図２表示装置２１４との相対的な配置関係が図３の図示に対して異ならせて示されている。図１７および後述する各図には、装飾図柄表示装置２０８の左下方に普図保留ランプ２１６および普図表示装置２１０を示し、その右方に特図１保留ランプ２１８および特図１表示装置２１２を示し、その右方に特図２保留ランプ２２０および特図２表示装置２１４を示している。また、普図表示装置２１０、特図１表示装置２１２、特図２表示装置２１４、普図保留ランプ２１６、特図１保留ランプ２１８および特図２保留ランプ２２０の消灯部分を白抜きで表し、点灯部分を黒塗りで表している。また、特図１表示装置２１２または特図２表示装置２１４において全てのセグメントが白抜きで表された状態は、特図１または特図２の変動表示が行われていることを示し、普図表示装置２１０において全てのセグメントが白抜きで表された状態は、普図の変動表示が行われていることを示している。また、第４図柄の図示は省略する。
　【図１７】
　
【０２２４】
　
装飾図柄表示装置２０８の演出表示領域２０８ｄのうち左下の領域は、変動アイコン表示領域ａである。
変動アイコンの表示態様によって当該変動の当否を所定の信頼度で予告報知
する
【０２２５】
　また、
演出表示領域２０８ｄの下部であって変動アイコン表示領域ａの右側に隣接する横長の領域は、
保留アイコン表示領域
ｃある。
各保留アイコンの表示態様によって当該保留の当否を所定の信頼度で報知（先読み予告）することが可能である。
【０２２６】
　図１７（ａ）は、特図１変動遊技の変動期間中の状態を示している。図１７（ａ）に示すように、特図１表示装置２１２では特図１の変動表示が行われており、特図２表示装置２１４には直近の特図２変動遊技の停止図柄である特図ｄ（はずれ図柄）が表示されている。特図１保留ランプ２１８は、左から１〜３番目のＬＥＤをそれぞれ点灯させて特図１変動遊技の保留数（特図１の保留数）が３つであることを表示しており、特図２保留ランプ２２０は、全てのＬＥＤを消灯させて特図２変動遊技の保留数（特図２の保留数）が０であることを表示している。また、普図変動遊技は実行されていないので、普図表示装置２１０には直近の停止図柄である普図Ｃ（はずれ図柄）が表示されている。また、普図変動遊技の保留数は０であるので、普図保留ランプ２１６の全てのランプは消灯されている。
【０２２７】
　また、
図１７（ａ）に示す時点では、陸ステージが選択されている。
「陸ステージ」の背景画像が表示されている。
【０２２８】
　
変動アイコン表示領域ａには、変動アイコンａ１が表示されている。
変動アイコンａ１および保留アイコンｂ１１、ｂ１２、ｂ１３の表示態様は、白色の自動車を模した絵柄になっている。本実施例では、陸ステージ選択時のデフォルトの表示態様が白色の自動車を模した絵柄になっている。
【０２２９】
　
図１７（ｂ）は、チャンスボタン１３６が押下された後の状態を示している。チャンスボタン１３６が押下されたことに基づいて、
演出ステージが陸ステージから海ステージに変更される。
装飾図柄表示装置２０８は、陸ステージの背景画像から海ステージの背景画像に徐々に切り替え、
【０２３０】
　図１７（ｃ）は、海ステージの背景画像に切り替わった状態を示している。図１７（ｃ）、（ｄ）に示すように、変動アイコンは、変動アイコン表示領域ａとともに、画像表示領域外から画像表示領域内に向かって移動（右方に移動）するように徐々に全体が表示され、保留アイコンは、特図保留表示領域ｃとともに、画像表示領域外から画像表示領域内に向かって移動（上方に移動）するように徐々に全体が表示される。
【０２３１】
　
図１７（ｅ）は、
変動アイコンａ２は、陸ステージ中の変動アイコンａ１に代わって表示されたものである。保留アイコンｂ２１、ｂ２２、ｂ２３は、陸ステージ中の保留アイコンｂ１１、ｂ１２、ｂ１３に代わって表示されたものである。変動アイコンａ２および保留アイコンｂ２１、ｂ２２、ｂ２３は、白色の船を模した絵柄の表示態様で表示される。本実施例では、海ステージ選択時のデフォルトの表示態様が白色の船を模した絵柄になっている。このように、デフォルトの表示態様で表示されていた変動アイコンおよび保留アイコンは、ステージ変更後にもデフォルトの表示態様で表示される。
【０２３２】
　
図１７（ｆ）は、特図１始動口２３０に遊技球が１個入賞して、特図１変動遊技の保留数が１個増加した状態を示している。
【０２３３】
　
図１７（ｈ）
保留アイコンｂ２４は、青色
の船を模した絵柄の表示態様で表示される。
【０２３４】
　図１７（ｉ）は、チャンスボタン１３６が押下された後の状態を示している。チャンスボタン１３６が押下されたことに基づいて、第１副制御部４００は、図１６に示す第一演出ステージ変更処理（ステップＳ１２０９）を実行する。これにより、
演出ステージが海ステージから空ステージに変更される。
装飾図柄表示装置２０８は、海ステージの背景画像から空ステージの背景画像に徐々に切り替え、
【０２３５】
　図１７（ｊ）は、空ステージの背景画像に切り替わった状態を示している。図１７（ｊ）、（ｋ）に示すように、変動アイコンは、変動アイコン表示領域ａとともに、画像表示領域外から画像表示領域内に向かって移動（右方に移動）するように、徐々に全体が表示され、保留アイコンは、特図保留表示領域ｃとともに、画像表示領域外から画像表示領域内に向かって移動（上方に移動）するように、徐々に全体が表示される。
【０２３６】
　
図１７（ｋ）は、
変動アイコンａ３は、海ステージ中の変動アイコンａ２に代わって表示されたものである。保留アイコンｂ３１、ｂ３２、ｂ３３は、海ステージ中の保留アイコンｂ２１、ｂ２２、ｂ２３に代わって表示されたものである。変動アイコンａ３および保留アイコンｂ３１、ｂ３２、ｂ３３は、白色の気球を模した絵柄の表示態様で表示される。本実施例では、空ステージ選択時のデフォルトの表示態様が白色の気球を模した絵柄になっている。このように、デフォルトの表示態様で表示されていた変動アイコンおよび保留アイコンは、ステージ変更後にもデフォルトの表示態様で表示される。
【０２３７】
　また、保留アイコンｂ３４は、海ステージ中の保留アイコンｂ２４に代わって表示されたものである。
保留アイコンｂ３４は、青色の気球を模した絵柄の表示態様で表示される。
【０２３８】
　このように、
海ステージから空ステージの変更に伴って、先読み予告として表示された保留アイコンの表示態様が船の絵柄から気球の絵柄に変更されているが、大当り信頼度を示す保留アイコンの色が演出ステージ変更前後で引き継がれ、先読み予告として表示された保留アイコンの色は演出ステージ変更の前後で青になっている。
【０２３９】
　本実施例によるパチンコ機１００において、装飾図柄表示装置２０８は、先読み予告として保留アイコンｂ２４を少なくとも表示可能なものであり、装飾図柄表示装置２０８は、先読み予告として保留アイコンｂ３４を少なくとも表示可能なものであり、装飾図柄表示装置２０８は、
複数種類の構成要素の組み合わせにより保留アイコンを少なくとも表示可能なものであり、複数種類の構成要素のうちの少なくとも一つは、色であり、複数種類の構成要素のうちの少なくとも一つは、形であり、
第一の表示とは、海ステージの背景画像の表示を少なくとも含む表示のことであり、第一の表示とは、保留アイコンｂ２４の表示を少なくとも含む表示のことであり、第二の表示とは、空ステージの背景画像の表示を少なくとも含む表示のことであり、第二の表示とは、保留アイコンｂ３４の表示を少なくとも含む表示のことであり、第二の表示における保留アイコンｂ３４は、第一の表示における保留アイコンｂ２４に代わって表示されたものであり、第一の表示における保留アイコンｂ２４の色は、第二の表示における保留アイコンｂ３４の色と同じものであり、第一の表示における第一の保留アイコンｂ２４の形は、第二の表示における保留アイコンｂ３４の形と異なるものである。
【０２４０】
　本実施例によるパチンコ機１００によれば、
背景画像の変更と共に、保留アイコンについても少なくとも一つの構成要素について変更する
　
　　　（カ）「【０２８２】
（実施例５）
　図２１は、本実施の形態の実施例５における保留アイコンの表示態様の切り替わりを示している。本実施例によるパチンコ機１００は、陸ステージ、海ステージおよび空ステージ毎で異なる表示態様で保留アイコンを表示する。
　【図２１】　
【０２８３】
　本実施例では、図２１に示すように、大当り信頼度の低い表示態様から高い順にＮｏ．１〜Ｎｏ．５が割り当てられている。ここで、大当り信頼度とは、保留増加後に演出ステージが変更されていない状態（表示態様が変更されていない状態）での保留アイコンが示す大当り信頼度のことである。これは、本実施例では、演出ステージ変更に基づいて保留アイコンの表示態様が変更されるため、演出ステージ変更後の保留アイコンが示す大当り信頼度は不定になるためである。
【０２８４】
　陸ステージにおいて、最も大当り信頼度の低いＮｏ．１の表示態様は白色の自動車を模した絵柄であり、次に大当り信頼度の高いＮｏ．２の表示態様は青色の自動車を模した絵柄であり、次に大当り信頼度の高いＮｏ．３の表示態様は緑色の自動車を模した絵柄であり、次に大当り信頼度の高いＮｏ．４の表示態様は赤色の自動車を模した絵柄であり、最も大当り信頼度の高いＮｏ．５の表示態様は、キャラクタの吉宗を用いた「走る吉宗」の絵柄になっている。このように、陸ステージでは、５種類の保留アイコンを表示して、
５種類の大当り信頼度で先読み予告を行う通常の演出ステージである。
陸ステージにおいて、Ｎｏ．５の「走る吉宗」の絵柄の表示態様で保留アイコンが表示された場合、先読み予告に係る保留は大当りが確定している。このため、「走る吉宗」で表示される保留アイコンは、大当り確定の予告（プレミア）である。
Ｎｏ．５の表示態様の保留アイコンは、大当り信頼度が１００％であってもよい。
【０２８５】
　また、図２１に示すように、海ステージにおいて、保留アイコンの表示態様は、Ｎｏ．１の白色の船を模した絵柄のみ設けられている。このように、海ステージは、先読み予告として、保留アイコンの表示態様をデフォルト（白色の船の絵柄）から変更しないシンプルな演出ステージである。
【０２８６】
　また、図２１に示すように、空ステージにおいて、最も大当り信頼度の低いＮｏ．１の表示態様は白色の気球を模した絵柄であり、最も大当り信頼度の高いＮｏ．５の表示態様は、キャラクタの吉宗を用いた「浮かぶ吉宗」の絵柄になっている。
空ステージにおいて、Ｎｏ．２の「浮かぶ吉宗」の絵柄の表示態様で保留アイコンが表示された場合、先読み予告に係る保留は大当りが確定している。このため、「浮かぶ吉宗」で表示される保留アイコンは、大当り確定の予告（プレミア）である。
Ｎｏ．２の表示態様の保留アイコンは、大当り信頼度が１００％であってもよい。
【０２８７】
　本実施例では、陸ステージ中にＮｏ．１〜Ｎｏ．５の表示態様のいずれかで保留アイコンが表示されている際に海ステージに移行すると、保留アイコンの表示態様は、Ｎｏ．１の白色の船の絵柄に変更される。また、海ステージ中にＮｏ．１の表示態様で保留アイコンが表示されている際に空ステージに移行すると、保留アイコンの表示態様を抽選によってＮｏ．１（白色の気球）とするかＮｏ．２（「浮かぶ吉宗」）とするかを決定してもよい。なお、空ステージのＮｏ．２の表示態様の保留アイコンは、先読み結果が大当りである場合にのみ表示可能である。また、空ステージに移行した以降は、信頼度が最も低いデフォルト（白色）の表示態様で保留アイコンを表示してもよい。
【０２８８】
　また、
空ステージ中に大当り確定のＮｏ．２の表示態様で保留アイコンが表示されている際に陸ステージに移行すると、保留アイコンの表示態様は、大当り確定のＮｏ．５（「走る吉宗」）に変更されてもよい
　
　　　（キ）「【０３３４】
　なお、
上記詳細な説明で説明した事項、特に実施例および変形例で説明した事項は組み合わせることが可能である。
　
　　　イ　認定事項
　先読み予告をしていない状態での、「第一演出ステージ変更処理」における保留アイコン及び変動アイコンの表示態様に関して、引用文献１の【０２２７】に「図１７（ａ）に示す時点では、陸ステージが選択されている。・・・「陸ステージ」の背景画像が表示されている。」と記載され、
　同じく、【０２２８】に「変動アイコン表示領域ａには、変動アイコンａ１が表示されている。・・・変動アイコンａ１および保留アイコンｂ１１、ｂ１２、ｂ１３の表示態様は、白色の自動車を模した絵柄になっている。本実施例では、陸ステージ選択時のデフォルトの表示態様が白色の自動車を模した絵柄になっている。」と記載され、
　同じく、【０２２９】に「図１７（ｂ）は、チャンスボタン１３６が押下された後の状態を示している。チャンスボタン１３６が押下されたことに基づいて、
・・・演出ステージが陸ステージから海ステージに変更される。
・・・装飾図柄表示装置２０８は、陸ステージの背景画像から海ステージの背景画像に徐々に切り替え・・・」と記載され、
　同じく、【０２３１】に「図１７（ｅ）は、・・・変動アイコンａ２は、陸ステージ中の変動アイコンａ１に代わって表示されたものである。保留アイコンｂ２１、ｂ２２、ｂ２３は、陸ステージ中の保留アイコンｂ１１、ｂ１２、ｂ１３に代わって表示されたものである。変動アイコンａ２および保留アイコンｂ２１、ｂ２２、ｂ２３は、白色の船を模した絵柄の表示態様で表示される。本実施例では、海ステージ選択時のデフォルトの表示態様が白色の船を模した絵柄になっている。このように、デフォルトの表示態様で表示されていた変動アイコンおよび保留アイコンは、ステージ変更後にもデフォルトの表示態様で表示される。」と記載され、
　同じく、【０２３４】に「・・・演出ステージが海ステージから空ステージに変更される。・・・装飾図柄表示装置２０８は、海ステージの背景画像から空ステージの背景画像に徐々に切り替え、・・・」と記載され、
　同じく、【０２３６】に「図１７（ｋ）は、・・・変動アイコンａ３は、海ステージ中の変動アイコンａ２に代わって表示されたものである。保留アイコンｂ３１、ｂ３２、ｂ３３は、海ステージ中の保留アイコンｂ２１、ｂ２２、ｂ２３に代わって表示されたものである。変動アイコンａ３および保留アイコンｂ３１、ｂ３２、ｂ３３は、白色の気球を模した絵柄の表示態様で表示される。本実施例では、空ステージ選択時のデフォルトの表示態様が白色の気球を模した絵柄になっている。このように、デフォルトの表示態様で表示されていた変動アイコンおよび保留アイコンは、ステージ変更後にもデフォルトの表示態様で表示される。」と記載され、
　同じく、【０２３７】に「保留アイコンｂ３４は、青色の気球を模した絵柄の表示態様で表示される。」と記載され、
　同じく、【０２３９】に「・・・複数種類の構成要素のうちの少なくとも一つは、色であり、複数種類の構成要素のうちの少なくとも一つは、形であり、・・・第一の表示とは、海ステージの背景画像の表示を少なくとも含む表示のことであり、第一の表示とは、保留アイコンｂ２４の表示を少なくとも含む表示のことであり、第二の表示とは、空ステージの背景画像の表示を少なくとも含む表示のことであり、第二の表示とは、保留アイコンｂ３４の表示を少なくとも含む表示のことであり、第二の表示における保留アイコンｂ３４は、第一の表示における保留アイコンｂ２４に代わって表示されたものであり、第一の表示における保留アイコンｂ２４の色は、第二の表示における保留アイコンｂ３４の色と同じものであり、第一の表示における第一の保留アイコンｂ２４の形は、第二の表示における保留アイコンｂ３４の形と異なるものである。」と記載され、
　同じく、【０２４０】に「・・・背景画像の変更と共に、保留アイコンについても少なくとも一つの構成要素について変更する・・・」と記載されている。
　したがって、上記記載事項からみて、引用文献１には、先読み予告をしていない状態での「第一演出ステージ変更処理」における保留アイコンに関しては、演出ステージが「陸ステージ」→「海ステージ」→「空ステージ」と変更されるに伴い、保留アイコンの構成要素の一つである形が「自動車」→「船」→「気球」と異なる形に変更されるが、保留アイコンの構成要素の一つである色は白のままであること、及び、変更アイコンに関しては、演出ステージが、「陸ステージ」→「海ステージ」→「空ステージ」と変更されるに伴い、保留アイコンの構成要素の一つである形が「自動車」→「船」→「気球」と異なる形に変更されるが、保留アイコンの構成要素の一つである色は白のままであること（認定事項ア）が示されているものと認められる。
　
　一方、先読み予告をしている状態での、「第一演出ステージ変更処理」における保留アイコンの表示態様に関して、引用文献１の【０２３２】に「図１７（ｆ）は、特図１始動口２３０に遊技球が１個入賞して、特図１変動遊技の保留数が１個増加した状態を示している。・・・」と記載され、
　同じく、【０２３３】に「図１７（ｈ）・・・留アイコンｂ２４は、青色・・・の船を模した絵柄の表示態様で表示される。」と記載され、
　同じく、【０２３８】に「・・・海ステージから空ステージの変更に伴って、先読み予告として表示された保留アイコンの表示態様が船の絵柄から気球の絵柄に変更されているが、大当り信頼度を示す保留アイコンの色が演出ステージ変更前後で引き継がれ、先読み予告として表示された保留アイコンの色は演出ステージ変更の前後で青になっている。」と記載されている。
　したがって、上記記載事項及び【０２３９】の記載からみて、引用文献１には、先読み予告をしている状態での「第一演出ステージ変更処理」における保留アイコンに関しては、演出ステージが「海ステージ」→「空ステージ」と変更されるに伴い、保留アイコンの構成要素の一つである形が「船」→「気球」と異なる形に変更されるが、保留アイコンの構成要素の一つである色は青のままであること（認定事項イ）が示されているものと認められる。
　
　さらに、引用文献１の【０２１６】に「・・・第一演出ステージ変更処理を行う。第１副制御部４００は、演出ステージを「陸ステージ」、「海ステージ」または「空ステージ」のいずれかに切り替える。」と記載されている。
　
　よって、上記認定事項ア〜イ及び【０２１６】の記載内容によれば、引用文献１には、
「
メイン処理の演出制御処理内で実行される演出ステージ制御処理における第一演出ステージ変更処理で
　
先読み予告をしていない状態での保留アイコンに関しては、演出ステージが、「陸ステージ」→「海ステージ」→「空ステージ」と変更されるに伴い、保留アイコンの構成要素の一つである形が「自動車」→「船」→「気球」と異なる形に変更されるが、保留アイコンの構成要素の一つである色は白のままであることが示され、変更アイコンに関しても、演出ステージが「陸ステージ」→「海ステージ」→「空ステージ」と変更されるに伴い、保留アイコンの構成要素の一つである形が「自動車」→「船」→「気球」と異なる形に変更されるが、保留アイコンの構成要素の一つである色は白のままであって
　
先読み予告をしている状態での第一演出ステージ変更処理」における保留アイコンに関しては、演出ステージが「海ステージ」→「空ステージ」と変更されるに伴い、保留アイコンの構成要素の一つである形が「船」→「気球」と異なる形に変更されるが、保留アイコンの構成要素の一つである色は青のままであることにより
　
それぞれのステージにおいて、保留アイコン及び変動アイコンについての構成要素の一つである形を異ならせるように、演出ステージを「陸ステージ」、「海ステージ」、「空ステージ」の順に切り替える第１副制御部４００
　
　また、【０２１６】の記載内容によれば、引用文献１には、
「
第１副制御部４００は、第一演出ステージ変更処理において、「陸ステージ」開始時点の保留アイコン及び変動アイコンとして白色の自動車が選択されている場合、演出ステージが「海ステージ」、「空ステージ」の順に切り替えられると、白色の自動車は、白色の船、白色の気球と順に変更されるが、保留アイコン及び変動アイコンについての構成要素の一つである、大当り信頼度を示す色については白のままとする
　
　上記アの記載事項、上記イの認定事項、及び、図面の図示内容を総合すると、引用文献１には、発明の一実施の形態及び実施例１に基づいて、次の発明（以下「引用発明」という。）が記載されていると認められる（ａ〜ｇは、本件補正発明のＡ〜Ｇに対応させて付与した。）。
「ａ　特図１始動口２３０への入球を所定の球検出センサが検出した場合、特図１表示装置２１２による特図変動遊技を開始し、特図２始動口２３２への入球を所定の球検出センサが検出した場合、特図２表示装置２１４による特図変動遊技を開始し、特図変動遊技に当選して特図表示装置が大当り図柄を停止表示した場合には、例えば可変入賞口２３４、２３５のうち一方の扉部材が所定の時間間隔、所定の回数で開閉する弾球遊技機（【０００１】、【００２８】、【００３１】〜【００３３】）であって、
　ｂ〜ｃ　その表示態様によって当該変動の当否を所定の信頼度で予告報知する変動アイコンを表示する、装飾図柄表示装置２０８の演出表示領域２０８ｄのうち左下の領域である変動アイコン表示領域ａと、保留アイコンを表示する、演出表示領域２０８ｄの下部であって変動アイコン表示領域ａの右側に隣接する横長の領域である保留アイコン表示領域ｃと（【００２４】、【０２１２】、【０２２４】〜【０２２５】）、
　ｄ　メイン処理の演出制御処理内で実行される演出ステージ制御処理における第一演出ステージ変更処理で（認定事項ウ）、
　先読み予告をしていない状態での保留アイコンに関しては、演出ステージが、「陸ステージ」→「海ステージ」→「空ステージ」と変更されるに伴い、保留アイコンの構成要素の一つである形が「自動車」→「船」→「気球」と異なる形に変更されるが、保留アイコンの構成要素の一つである色は白のままであることが示され、変更アイコンに関しても、演出ステージが「陸ステージ」→「海ステージ」→「空ステージ」と変更されるに伴い、保留アイコンの構成要素の一つである形が「自動車」→「船」→「気球」と異なる形に変更されるが、保留アイコンの構成要素の一つである色は白のままであって（認定事項ア）、
　先読み予告をしている状態での第一演出ステージ変更処理」における保留アイコンに関しては、演出ステージが「海ステージ」→「空ステージ」と変更されるに伴い、保留アイコンの構成要素の一つである形が「船」→「気球」と異なる形に変更されるが、保留アイコンの構成要素の一つである色は青のままであることにより（認定事項イ）、
　それぞれのステージにおいて、保留アイコン及び変動アイコンについての構成要素の一つである形を異ならせるように、演出ステージを「陸ステージ」、「海ステージ」、「空ステージ」の順に切り替える第１副制御部４００（認定事項ウ）と、を備え、
　各保留アイコンの表示態様によって当該保留の当否を所定の信頼度で報知（先読み予告）することが可能であり（【０２２５】）、
　ｅ　第１副制御部４００は、第一演出ステージ変更処理において、「陸ステージ」開始時点の保留アイコン及び変動アイコンとして白色の自動車が選択されている場合、演出ステージが「海ステージ」、「空ステージ」の順に切り替えられると、白色の自動車は、白色の船、白色の気球と順に変更されるが、保留アイコン及び変動アイコンについての構成要素の一つである、大当り信頼度を示す色については白のままとした（認定事項エ）、
　ｇ　弾球遊技機。」
　
　そして、上記【０２１２】、【０２１６】、【０２８４】、【０２８６】、【０２８８】の記載事項、及び、図面の図示内容を総合すると、引用文献１には、発明の一実施の形態及び実施例５に基づいて、次の技術事項（以下「引用文献１に記載された技術事項」という。）が記載されていると認められる。
「ｆ、ｆ２　第１副制御部４００は、メイン処理の演出制御処理内で実行される演出ステージ制御処理における第一演出ステージ変更処理で、５種類の大当り信頼度で先読み予告を実行可能であり、「空ステージ」で大当り信頼度が１００％である「浮かぶ吉宗」の絵柄の表示態様で保留アイコンが表示されている際に、「陸ステージ」に切り換えられると、保留アイコンの表示態様を、大当り確定の「走る吉宗」の絵柄の表示態様に変更すること。」
　
　（３）対比
　本件補正発明と引用発明とを、分説に従い対比する。
　　（ａ）引用発明における「特図１表示装置２１２による特図変動遊技」及び「特図２表示装置２１４による特図変動遊技」は、本件補正発明における「可変表示」に相当する。
　そして、引用発明における「可変入賞口２３４、２３５のうち一方の扉部材が所定の時間間隔、所定の回数で開閉する」ことは、本件補正発明における「遊技者にとって有利な有利状態に制御可能な」ことに相当する。
　また、引用発明における「弾球遊技機」は、本件補正発明における「遊技機」に相当する。
　したがって、引用発明における構成ａの「特図１始動口２３０への入球を所定の球検出センサが検出した場合、特図１表示装置２１２による特図変動遊技を開始し、特図２始動口２３２への入球を所定の球検出センサが検出した場合、特図２表示装置２１４による特図変動遊技を開始し、特図変動遊技に当選して特図表示装置が大当り図柄を停止表示した場合には、例えば可変入賞口２３４、２３５のうち一方の扉部材が所定の時間間隔、所定の回数で開閉する弾球遊技機」は、本件補正発明における構成Ａの「可変表示を実行し、遊技者にとって有利な有利状態に制御可能な遊技機」に相当する。
　
　　（ｂ）、（ｃ）引用発明における「保留アイコン」は、本件補正発明における「未だ開始されていない可変表示に対応する保留表示」に相当する。
　そして、引用発明における「演出表示領域２０８ｄの下部であって変動アイコン表示領域ａの右側に隣接する横長の領域である保留アイコン表示領域ｃ」は、本件補正発明における「保留表示手段」に相当する。
　したがって、引用発明における構成ｂ〜ｃの「保留アイコンを表示する、演出表示領域２０８ｄの下部であって変動アイコン表示領域ａの右側に隣接する横長の領域である保留アイコン表示領域ｃ」は、本件補正発明における構成Ｂの「未だ開始されていない可変表示に対応する保留表示を表示する保留表示手段」に相当する。
　
　また、引用発明における「その表示態様によって当該変動の当否を所定の信頼度で予告報知する変動アイコン」は、本件補正発明における「可変表示が実行されているときに当該可変表示に対応する」「表示」である「対応表示」に相当する。
　そして、引用発明における「装飾図柄表示装置２０８の演出表示領域２０８ｄのうち左下の領域である変動アイコン表示領域ａ」は、本件補正発明における「対応表示手段」に相当する。
　したがって、引用発明における構成ｂ〜ｃの「その表示態様によって当該変動の当否を所定の信頼度で予告報知する変動アイコンを表示する、装飾図柄表示装置２０８の演出表示領域２０８ｄのうち左下の領域である変動アイコン表示領域ａ」は、本件補正発明における構成Ｃの「可変表示が実行されているときに当該可変表示に対応する対応表示を表示する対応表示手段」に相当する。
　
　　（ｄ）引用発明における「それぞれのステージにおいて、保留アイコン及び変動アイコンについての構成要素の一つである形を異ならせる」ことは、本件補正発明における「保留表示及び対応表示の表示態様が異なる」ことに相当する。
　そして、引用発明における「陸ステージ」、「海ステージ」及び「空ステージ」の「演出ステージ」は、本件補正発明における「複数の演出モード」に相当することから、引用発明における「演出ステージを「陸ステージ」、「海ステージ」、「空ステージ」の順に切り替える」ことは、本件補正発明における「複数の演出モードのいずれかに制御可能な」ことに相当する。
　したがって、引用発明における構成ｄの「メイン処理の演出制御処理内で実行される演出ステージ制御処理における第一演出ステージ変更処理で」「それぞれのステージにおいて、保留アイコン及び変動アイコンについての構成要素の一つである形を異ならせるように、演出ステージを「陸ステージ」、「海ステージ」、「空ステージ」の順に切り替える第１副制御部４００」は、本件補正発明における構成Ｄの「保留表示及び対応表示の表示態様が異なる複数の演出モードのいずれかに制御可能な演出モード制御手段」に相当する。
　
　　（ｅ）まず、本件補正発明における構成Ｅの「保留表示の表示態様が前記有利状態に制御される期待度が所定の期待度であることを示唆する第１特殊態様とされている場合、前記演出モードの切り替えがあった後に、当該保留表示に対応する対応表示の表示態様が、前記第１特殊態様で示唆される前記所定の期待度を維持するように、当該第１特殊態様と少なくとも一部の表示態様が共通する第２特殊態様とされ」ることは、本願の明細書の【０３８４】、【０３８５】、【図３３】及び【図３４】の記載、若しくは、図示内容からみて、「保留表示の表示態様が有利状態に制御される期待度が所定の期待度であることを示唆する第１特殊態様とされている」状態で、「可変表示」中の可変表示が終了し、次の「可変表示」が開始される場合、「当該保留表示に対応する対応表示の表示態様」を第１特殊態様として、保留表示に対応する対応表示の表示を開始することをその構成に含むものといえる。
　そうすると、引用発明における「変動アイコンとして「陸ステージ」の白色の自動車が選択されている場合」と、本件補正発明における「保留表示の表示態様が有利状態に制御される期待度が所定の期待度であることを示唆する第１特殊態様とされている場合」とは、（演出モードの切り替え前の）「可変表示に対応する対応表示の表示態様が有利状態に制御される期待度が所定の期待度であることを示唆する第１特殊態様とされている場合」である点で共通する。
　また、引用発明における「演出ステージが「海ステージ」、「空ステージ」の順に切り替えられると」「保留アイコン及び変動アイコンについての構成要素の一つである、大当り信頼度を示す色については白のままと」することと、本件補正発明における「演出モードの切り替えがあった後に、当該保留表示に対応する対応表示の表示態様が、第１特殊態様で示唆される所定の期待度を維持するように、当該第１特殊態様と少なくとも一部の表示態様が共通する第２特殊態様とされ」ることとは、「演出モードの切り替えがあった後に、当該表示態様が、第１特殊態様で示唆される所定の期待度を維持するように、当該第１特殊態様と少なくとも一部の表示態様が共通する第２特殊態様とされ」る点で共通する。
　したがって、引用発明における構成ｅの「第１副制御部４００は、第一演出ステージ変更処理において、「陸ステージ」開始時点の保留アイコン及び変動アイコンとして白色の自動車が選択されている場合、演出ステージが「海ステージ」、「空ステージ」の順に切り替えられると、白色の自動車は、白色の船、白色の気球と順に変更されるが、保留アイコン及び変動アイコンについての構成要素の一つである、大当り信頼度を示す色については白のままと」することと、本件補正発明における構成Ｅの「保留表示の表示態様が有利状態に制御される期待度が所定の期待度であることを示唆する第１特殊態様とされている場合、演出モードの切り替えがあった後に、当該保留表示に対応する対応表示の表示態様が、第１特殊態様で示唆される所定の期待度を維持するように、当該第１特殊態様と少なくとも一部の表示態様が共通する第２特殊態様とされ」ることとは、「可変表示に対応する対応表示の表示態様が有利状態に制御される期待度が所定の期待度であることを示唆する第１特殊態様とされている場合、演出モードの切り替えがあった後に、当該可変表示に対応する対応表示の表示態様が、第１特殊態様で示唆される所定の期待度を維持するように、当該第１特殊態様と少なくとも一部の表示態様が共通する第２特殊態様とされ」る点で共通する。
　
　上記（ａ）〜（ｅ）によれば、本件補正発明と引用発明は、
「Ａ　可変表示を実行し、遊技者にとって有利な有利状態に制御可能な遊技機であって、
　Ｂ　未だ開始されていない可変表示に対応する保留表示を表示する保留表示手段と、
　Ｃ　可変表示が実行されているときに当該可変表示に対応する対応表示を表示する対応表示手段と、
　Ｄ　保留表示の表示態様が異なる複数の演出モードのいずれかに制御可能な演出モード制御手段と、を備える
　Ｅ’対応表示の表示態様が前記有利状態に制御される期待度が所定の期待度であることを示唆する第１特殊態様とされている場合、前記演出モードの切り替えがあった後に、当該対応表示の表示態様が、前記第１特殊態様で示唆される前記所定の期待度を維持するように、当該第１特殊態様と少なくとも一部の表示態様が共通する第２特殊態様とされる、
　Ｇ　遊技機。」の点で一致し、次の点で相違する。
　
［相違点１］（構成Ｅ）
　本件補正発明は、保留表示の表示態様が有利状態に制御される期待度が所定の期待度であることを示唆する第１特殊態様とされている状態で、「可変表示」中の可変表示が終了し、次の「可変表示」が開始される場合、保留表示に対応する対応表示の表示態様を第１特殊態様として保留表示に対応する対応表示を開始することをその前提構成とするものであるが、引用発明は、そのような前提構成を備えるか否か明らかでない点。
　
［相違点２］（構成Ｆ〜Ｆ１）
　本件補正発明は、「保留表示と対応表示との少なくとも一方の表示態様は、当該表示態様が変化すること及び変化後の表示態様を示唆する示唆演出が実行されてから変化可能であ」るのに対し、引用発明は、そのような構成を備えていない点。
　
［相違点３］（構成Ｆ、Ｆ２）
  本件補正発明は、「保留表示と対応表示との少なくとも一方の表示態様は、」「複数の演出モードで共通の態様に変化可能である」のに対し、引用発明は、そのような構成を備えていない点。
　
　（４）当審判合議体の判断
　　ア　相違点１（構成Ｅ）について
　遊技機の技術分野において、保留アイコンによる演出を用いて遊技の興趣を向上させるために、保留アイコンが次の変動表示の開始に伴って変動アイコンとして表示される場合、保留アイコンの表示態様をそのまま変動アイコンの表示態様とし、保留アイコンと変動アイコンとの間で大当り信頼度を維持した表示を行うことは、本願の出願前に周知の技術事項である（例えば、特開２０１２−１６４９９号公報の【図２６】〜【図２７】、【図３０】〜【図３１】、【０００６】、【０１９８】〜【０１９９】、【０２２０】〜【０２２１】や、特開２０１４−８７４９２号公報の【図２６】〜【図２７】、【０００８】、【０２２１】〜【０２２５】を参照のこと。以下「周知の技術事項１」という。）。
　そして、上記周知の技術事項１を考慮すれば、引用発明が、「保留表示の表示態様が有利状態に制御される期待度が所定の期待度であることを示唆する第１特殊態様とされている状態で、「可変表示」中の可変表示が終了し、次の「可変表示」が開始される場合、保留表示に対応する対応表示の表示態様を第１特殊態様として保留表示に対応する対応表示を開始する」構成を備えることは自明である。
　してみると、相違点１は実質的な相違点でない。
　
　仮に、相違点１が実質的な相違点であるとして検討すると、引用発明は、引用文献１の【０００５】に「本発明の目的は、多彩な態様で保留アイコンを表示することで、遊技の興趣を向上させることにある。」と記載されているように、保留アイコンを用いて遊技の興趣を向上させるという課題を解決するものである。
　そうすると、引用発明と上記周知の技術事項１とは、保留アイコンを用いて遊技の興趣を向上させるという同一の課題を解決するものである。
　また、引用発明の構成ｄによれば、保留アイコンは、変動アイコンとしての表示が開始されるまでの間、大当り信頼度を示す色を白または青のまま維持するものであるから、当該保留アイコンに基づく変動アイコンの表示が開始された後も、大当り信頼度を維持すべく、変動アイコンの色を白または青のまま維持することは、当業者が必要に応じてなし得たものである。
　これらのことからみて、引用発明に上記周知の技術事項１を適用して、白色または青色の保留アイコンが、変動アイコンとなるとき、そのままの色及び形で変動アイコンの表示を開始させるようにし、さらに、ステージの切り替えが行われても、変動アイコンの形は変更されるが、変動アイコンの色を維持するようにし、上記相違点１に係る本件補正発明の構成とすることは、当業者が容易になし得たものである。
　
　イ　相違点２（構成Ｆ〜Ｆ１）について
　遊技機の技術分野において、保留アイコンによる演出を用いて遊技の興趣を向上させるために、保留アイコンの表示態様により大当たりの信頼度を報知する先読み予告を行う際に、保留アイコンの表示態様の変化を、当該表示態様が変化すること及び変化後の表示態様を示唆する示唆演出の実行後に行うことは、本願の出願前に周知の技術事項である（例えば、特開２０１４−２３６８１４号公報の【０１５７】に「保留画像の変化後の先読み予告表示態様の色、及び、図１８を用いて後述するキャラ画像のアイテム（星）の色（青、緑又は赤）を抽選等によって決定する」ことが記載され、【０１９０】に「図２１（１）に示すように、保留画像ＲＩ０（図示なし）が移動した変動権利画像ＫＩに対応する装飾図柄の変動中（報知演出中）において、蜂が緑色の星を投げる。そして、図２１（２）に示すように投げた星が保留画像に当った場合には、図２１（３）に示すように星が当った通常表示態様の保留画像が星の色と同じ色の先読み予告表示態様に変化する」ことが記載され、
　特開２０１４−６４７６２号公報の【００８９】に「保留表示予告Ａは、保留表示図柄を丸印から「Ａ」の文字を示す図柄に変更し、保留表示予告Ｂは、保留表示図柄を丸印から「Ｂ」の文字を示す図柄に変更するものである」ことが記載され、【００９０】に「保留表示予告Ａが実行されることを示唆する演出として、「Ａ」の文字を示す画像を表示するものと、保留表示予告Ｂが実行されることを示唆する演出として、「Ｂ」の文字を示す画像を表示するものとがあ」ることが記載され、
　上記特開２０１２−１６４９９号公報の【０２１４】に「識別図柄（第３特別図柄）と対応付けられた複数の図柄（アイテム）が並べられている中から何れかを選択することにより、選択した図柄がそのまま始動記憶を示す図柄になる」ことが記載されている。以下「周知の技術事項２」という。）。
　そして、引用発明と上記周知の技術事項２とは、保留アイコンによる演出を用いて遊技の興趣を向上させるという同一の課題を解決するものである。
　したがって、引用発明に上記周知の技術事項２を適用して、保留アイコンの表示態様を、表示態様が変化すること及び変化後の表示態様を示唆する示唆演出が実行されてから変化可能にすることで先読み予告を実行し、上記相違点２に係る本件補正発明の構成とすることは当業者が容易になし得たものである。
　
　　ウ　相違点３（構成Ｆ、Ｆ２）について
　まず、本件補正発明と引用文献１に記載された技術事項とを対比する。
　引用文献１に記載された技術事項における構成ｆ、ｆ２の「「空ステージ」で大当り信頼度が１００％である「浮かぶ吉宗」の絵柄の表示態様で保留アイコンが表示されている際に、「陸ステージ」に切り換えられると、保留アイコンの表示態様を、大当り確定の「走る吉宗」の絵柄の表示態様に変更すること」は、「空ステージ」と「陸ステージ」とで、大当り信頼度が１００％である吉宗の絵柄を用いた共通の表示を行うことであるから、本件補正発明における構成Ｆ、Ｆ２の、「保留表示」「の表示態様は、複数の演出モードで共通の態様に変化可能である」ことに相当する。
　そして、引用文献１の【０３３４】に「上記詳細な説明で説明した事項、特に実施例および変形例で説明した事項は組み合わせることが可能である。」と記載されていることから、実施例１に基づく引用発明に実施例５に基づく引用文献１に記載された技術事項を適用する動機付けは十分あるといえる。
　また、引用発明は、構成ｄにより、「各保留アイコンの表示態様によって当該保留の当否を所定の信頼度で報知（先読み予告）することが可能」なものであるから、引用発明と引用文献１に記載された技術事項とは、同一文献に記載されているとともに、保留の当否を所定の信頼度で報知する共通の機能を有するものである。
　したがって、引用発明に引用文献１に記載された技術事項を適用して上記相違点３に係る本件補正発明の構成とすることは当業者が容易になし得たものである。
　
　　エ　請求人の主張について
　請求人は、平成３１年３月２６日付け審判請求書において、
「（２）拒絶理由に対する意見
（２−１）本願発明１（請求項１に記載の発明）の説明 
　本願発明１は、少なくとも下記の構成Ａを有することを特徴とします。 
（構成Ａ）「保留表示と対応表示との少なくとも一方の表示態様は、当該表示態様が変化すること及び変化後の表示態様を示唆する示唆演出が実行されてから変化可能であり、」 
（２−２）本願発明１が奏する効果
　本願発明１は、上記構成Ａにより、示唆演出が表示態様が変化することに加えて、変化後の表示態様を示唆するので、遊技者は示唆演出に注目するようになり、遊技の興趣が向上する（段落０３９７等）、との効果を奏します。（２−３）拒絶の理由１（進歩性）について
　審査官殿は、原査定の拒絶の理由１において、引用文献１を引用されています。しかしながら、引用文献１は、保留アイコンなどの表示態様により大当り信頼度を報知する演出（図２０など）などを開示しているものの、本願発明１の上記構成Ａ（特に、示唆演出が表示態様の変化に加えて、変化後の表示態様を示唆する旨）については開示も示唆もしていません。従って、上記構成Ａは、当業者が容易に想到できたものではなく、しかも、本願発明１は、上記構成Ａにより、上記のような格別な効果を奏すものです。よって、本願発明１は、当業者が容易に発明できたものではありません。」と主張する。
　
　そこで、請求人の上記主張について検討する。
　上記「イ　相違点２（構成Ｆ〜Ｆ１）について」において検討したように、保留アイコンによる演出を用いて遊技の興趣を向上させるために、保留アイコンの表示態様により大当たりの信頼度を報知する先読み予告を行う際に、保留アイコンの表示態様の変化を、当該表示態様が変化すること及び変化後の表示態様を示唆する示唆演出の実行後に行うことは、上記周知の技術事項２として示したように、本願の出願前に周知の技術事項であり、引用発明に上記周知の技術事項２を適用することは当業者が容易になし得たものである。
　そして、請求人の主張する「遊技者は示唆演出に注目するようになり、遊技の興趣が向上する」という効果も、上記周知の技術事項２により奏される効果である。
　したがって、請求人の上記主張を採用することはできない。
　
　　オ　小括
　本件補正発明により奏される効果は、当業者が、引用発明、引用文献１に記載された技術事項、及び、上記周知の技術事項１〜２から予測し得た効果の範囲内のものであって、格別なものではない。
　よって、本件補正発明は、引用発明、引用文献１に記載された技術事項、及び、周知の技術事項１〜２に基づいて当業者が容易に発明をすることができたものであるから、特許法第２９条第２項の規定により、特許出願の際に独立して特許を受けることができないものである。
　
　４　まとめ
　上記１〜３より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、平成３０年１０月１１日付け手続補正書の請求項１に係る発明（以下「本願発明」という。）は、次のとおりのものと認める。
「Ａ　可変表示を実行し、遊技者にとって有利な有利状態に制御可能な遊技機であって、
　Ｂ　未だ開始されていない可変表示に対応する保留表示を表示する保留表示手段と、
　Ｃ　可変表示が実行されているときに当該可変表示に対応する対応表示を表示する対応表示手段と、
　Ｄ　保留表示及び対応表示の表示態様が異なる複数の演出モードのいずれかに制御可能な演出モード制御手段と、を備え、
　Ｅ　保留表示の表示態様が前記有利状態に制御される期待度が所定の期待度であることを示唆する第１特殊態様とされている場合、前記演出モードの切り替えがあった後に、当該保留表示に対応する対応表示の表示態様が、前記第１特殊態様で示唆される前記所定の期待度を維持するように、当該第１特殊態様と少なくとも一部の表示態様が共通する第２特殊態様とされ、
　Ｆ３　保留表示と対応表示との少なくとも一方は、前記複数の演出モードで共通の表示態様に変化可能である、
　Ｇ　ことを特徴とする遊技機。」
　２　原査定の拒絶の理由
（進歩性）この出願の請求項１に係る発明は、その出願前に日本国内において、頒布された下記の引用文献１に記載された発明に基いて、その出願前にその発明の属する技術の分野における通常の知識を有する者が容易に発明をすることができたものであるから、特許法第２９条第２項の規定により特許を受けることができない。
　
　　　　　　　　　　　　＜引用文献等一覧＞
　１．特開２０１５−２７３５９号公報
　
　３　引用文献に記載された事項
　原査定の拒絶の理由に引用された引用文献１（前記「第２　３（２）」における「引用文献１」に対応する。）の記載事項、引用発明の認定、及び、引用文献１に記載された技術事項の認定については、前記「第２　３（２）引用文献１」に記載したとおりである。
　４　対比・判断
　本願発明は、前記「第２　３（１）」で検討した本件補正発明の「表示態様」に関し、「保留表示と対応表示との少なくとも一方
の表示態様
当該表示態様が変化すること及び変化後の表示態様を示唆する示唆演出が実行されてから変化可能であり、
の態
　そうすると、本願発明と引用発明とは、前記「第２　３（３）対比」において抽出した相違点１、３において実質的に相違し、その余の点において一致する。
　そこで、上記相違点１、３について検討する。
　上記相違点１、３については、上記第２の３「（４）当審判合議体の判断」において検討したと同様に、引用発明、引用文献１に記載された技術事項、及び、上記周知の技術事項１に基づいて当業者が容易になし得たものである。
　
　５　むすび
　上記１〜４より、本願発明は、特許法第２９条第２項の規定に基づいて特許を受けることができない。
　
　よって、結論のとおり審決する。